(57)【要約】【課題】ファクシミリ送信が失敗した場合にその再送信をスムーズに行える好適なセキュリティが確保された通信装置を提供する。【解決手段】第１通信部は、無線通信によって携帯端末装置と通信する。取得部は、携帯端末装置から相手先情報と送信データを第１通信部を介して取得する。記憶制御部は、相手先情報を送信データに対応付けて送信履歴記憶部に記憶する。送信制御部は、相手先情報に従い送信データを第２通信部からファクシミリ送信する。通知制御部は、ファクシミリ送信が失敗した場合、送信失敗通知を第１通信部を介して携帯端末装置に送信する。取得部は、携帯端末装置から再送指示を第１通信部を介して取得し、送信制御部は、再送指示が取得された場合、送信履歴記憶部に記憶された相手先情報に従い送信データをファクシミリ送信する。記憶制御部は、ファクシミリ送信が成功した場合、送信履歴記憶部から相手先情報を削除する。【選択図】図５
2014187666.tif 000002
【特許請求の範囲】
【請求項１】
無線通信によって携帯端末装置と通信する第１通信部と、
前記携帯端末装置から、ファクシミリ送信のための相手先情報と、前記相手先情報に従いファクシミリ送信される送信データと、を前記第１通信部を介して取得する取得部と、
前記取得部で取得された前記相手先情報を、前記取得部で取得された前記送信データに対応付けて送信履歴記憶部に記憶し、前記取得部で取得された前記送信データを送信データ記憶部に記憶する記憶制御部と、
前記送信データをファクシミリ送信する第２通信部と、
前記取得部で取得された前記相手先情報に従い、前記取得部で取得された前記送信データを前記第２通信部からファクシミリ送信する制御を行う送信制御部と、
前記送信制御部によるファクシミリ送信が失敗した場合、ファクシミリ送信が失敗したこと示す送信失敗通知を、前記第１通信部を介して前記携帯端末装置に送信する制御を行う通知制御部と、を備え、
前記取得部は、前記送信失敗通知を受信した前記携帯端末装置から、失敗したファクシミリ送信の再送信を指示するための再送指示を前記第１通信部を介して取得し、
前記送信制御部は、前記取得部で前記再送指示が取得された場合、前記送信履歴記憶部に記憶された前記相手先情報に従い、前記相手先情報に対応付けられ且つ前記送信データ記憶部に記憶された前記送信データを前記第２通信部からファクシミリ送信する制御を行い、
前記記憶制御部は、前記送信制御部によるファクシミリ送信が成功した場合、前記送信履歴記憶部から前記相手先情報を削除する、通信装置。
【請求項２】
前記通知制御部は、前記送信制御部によるファクシミリ送信が成功した場合、ファクシミリ送信が成功したことを示す送信成功通知を、前記第１通信部を介して前記携帯端末装置に送信する制御を行う、請求項１に記載の通信装置。
【請求項３】
前記第１通信部は、
通信範囲が第１範囲である第１無線通信によって前記携帯端末装置と通信する第３通信部と、
通信範囲が第１範囲より広い第２範囲である第２無線通信によって前記携帯端末装置と通信する第４通信部と、を含み、
前記通知制御部は、前記送信失敗通知を前記第４通信部を介して前記携帯端末装置に送信する制御を行う、請求項１又は請求項２に記載の通信装置。
【請求項４】
前記取得部は、前記通知制御部による前記第４通信部を介した前記送信失敗通知の送信が失敗した場合、前記携帯端末装置から、ファクシミリ送信の送信結果を要求するための送信結果取得指示を前記第３通信部を介して取得し、
前記通知制御部は、前記取得部で前記送信結果取得指示が取得された場合、前記送信失敗通知を前記第３通信部を介して前記携帯端末装置に送信する制御を行う、請求項３に記載の通信装置。
【請求項５】
前記取得部は、
前記相手先情報を前記第３通信部を介して取得し、
前記送信データを前記第４通信部を介して取得し、
前記再送指示を前記第３通信部又は前記第４通信部を介して取得する、請求項３又は請求項４に記載の通信装置。
【請求項６】
前記記憶制御部は、前記送信制御部によるファクシミリ送信が成功した場合、前記送信データ記憶部から前記送信データを削除する、請求項１から請求項５の何れか１項に記載の通信装置。
【発明の詳細な説明】
【技術分野】
【０００１】
本発明は、携帯端末装置と連携してファクシミリ送信を実行する通信装置に関する。
【背景技術】
【０００２】
通信装置に関する技術が提案されている。例えば、特許文献１には、画像処理通信装置が開示されている。画像処理通信装置は、例えば、Ｉｒ通信部と、制御部を含む。Ｉｒ通信部は、携帯端末からデータを受信し、受信したデータをＲＡＭに記憶し、データを受信した旨を制御部に知らせる。制御部は、受信したデータの種類を判別する。受信したデータの中に電話帳データがあり、電話帳データのみでないと、受信したデータのうち電話帳データ以外のデータを電話帳データの送信先に送信する。制御部は、電話帳データのみであると、電話帳データをフラッシュメモリに書き込み保存する。制御部は、受信したデータの中に電話帳データがないと、ユーザによって選択された処理を行う。
【０００３】
特許文献２には、情報処理システムが開示されている。情報処理システムは、携帯端末装置と、情報処理装置を備える。携帯端末装置は、第２の通信手段と第４の通信手段とによる通信を確立するために通信設定情報および設定情報を、第１の通信手段を介して情報処理装置に送信する。設定情報は、第２の通信手段によって受信または送信する実体情報に対する処理を示す。携帯端末装置は、実体情報を第２の通信手段を介した非接触通信で情報処理装置に送信または情報処理装置から受信する。携帯端末装置は、設定情報の送信指示の入力を受け付け、情報処理装置との間でいずれの通信が可能か否かを判定する。情報処理装置は、第３の通信手段を介して通信設定情報および設定情報を携帯端末装置から受信または携帯端末装置に送信し、設定情報に応じた設定で実体情報を処理する。
【先行技術文献】
【特許文献】
【０００４】
【特許文献１】特開２００７−３１２１４２号公報
【特許文献２】特開２００９−１４７８９６号公報
【発明の概要】
【発明が解決しようとする課題】
【０００５】
公共の場所に、ファクシミリ機能を有する通信装置が設置されることがある。公共の場所に設置された通信装置は、不特定多数の利用者に利用される。不特定多数の利用者が、スムーズに操作でき、好適に利用できることが求められる場合もある。例えば、利用者が行ったファクシミリ送信が失敗することがある。この場合、ファクシミリ送信が失敗したことを利用者に通知することができれば、その利用者は、失敗したファクシミリ送信の再送信を行うことができる。また、不特定多数の利用者によって利用される通信装置では、ファクシミリ送信の宛先とした相手先情報が他人に取得又は利用されることがないよう、相手先情報に対するセキュリティを確保することが求められる場合もある。
【０００６】
本発明は、ファクシミリ送信が失敗した場合にその再送信をスムーズに行える好適なセキュリティが確保された通信装置を提供することを目的とする。
【課題を解決するための手段】
【０００７】
本発明の一側面は、無線通信によって携帯端末装置と通信する第１通信部と、前記携帯端末装置から、ファクシミリ送信のための相手先情報と、前記相手先情報に従いファクシミリ送信される送信データと、を前記第１通信部を介して取得する取得部と、前記取得部で取得された前記相手先情報を、前記取得部で取得された前記送信データに対応付けて送信履歴記憶部に記憶し、前記取得部で取得された前記送信データを送信データ記憶部に記憶する記憶制御部と、前記送信データをファクシミリ送信する第２通信部と、前記取得部で取得された前記相手先情報に従い、前記取得部で取得された前記送信データを前記第２通信部からファクシミリ送信する制御を行う送信制御部と、前記送信制御部によるファクシミリ送信が失敗した場合、ファクシミリ送信が失敗したこと示す送信失敗通知を、前記第１通信部を介して前記携帯端末装置に送信する制御を行う通知制御部と、を備え、前記取得部は、前記送信失敗通知を受信した前記携帯端末装置から、失敗したファクシミリ送信の再送信を指示するための再送指示を前記第１通信部を介して取得し、前記送信制御部は、前記取得部で前記再送指示が取得された場合、前記送信履歴記憶部に記憶された前記相手先情報に従い、前記相手先情報に対応付けられ且つ前記送信データ記憶部に記憶された前記送信データを前記第２通信部からファクシミリ送信する制御を行い、前記記憶制御部は、前記送信制御部によるファクシミリ送信が成功した場合、前記送信履歴記憶部から前記相手先情報を削除する、通信装置である。
【０００８】
これによれば、ファクシミリ送信が失敗した場合、携帯端末装置にファクシミリ送信の失敗を通知することができる。送信失敗通知に応じて、失敗したファクシミリ送信の再送指示が取得された場合、送信履歴記憶部に記憶された相手先情報に従い、この相手先情報に対応付けられ且つ送信データ記憶部に記憶された送信データを再度ファクシミリ送信することができる。再送信のための操作を携帯端末装置と連携してスムーズに行うことができる。好適な操作性が実現された通信装置とすることができる。ファクシミリ送信が成功した場合、成功したファクシミリ送信の相手先情報が他人に取得又は利用されることを防止することができる。
【０００９】
前記通知制御部は、前記送信制御部によるファクシミリ送信が成功した場合、ファクシミリ送信が成功したことを示す送信成功通知を、前記第１通信部を介して前記携帯端末装置に送信する制御を行ってもよい。これによれば、ファクシミリ送信が成功した場合、携帯端末装置にファクシミリ送信の成功を通知することができる。携帯端末装置では、例えば、送信成功通知に従いファクシミリ送信の成功を表示等し、又は、管理情報として利用することができる。
【００１０】
前記第１通信部は、通信範囲が第１範囲である第１無線通信によって前記携帯端末装置と通信する第３通信部と、通信範囲が第１範囲より広い第２範囲である第２無線通信によって前記携帯端末装置と通信する第４通信部と、を含み、前記通知制御部は、前記送信失敗通知を前記第４通信部を介して前記携帯端末装置に送信する制御を行ってもよい。これによれば、送信失敗通知の送信可能範囲を広くすることができる。例えば、携帯端末装置の利用者は、ファクシミリ送信のための所定の操作を行った後、通信装置から離れた場所に移動することもある。このような場合であっても、携帯端末装置への送信失敗通知の送信に関し、送信成功の可能性を高めることができる。
【００１１】
前記取得部は、前記通知制御部による前記第４通信部を介した前記送信失敗通知の送信が失敗した場合、前記携帯端末装置から、ファクシミリ送信の送信結果を要求するための送信結果取得指示を前記第３通信部を介して取得し、前記通知制御部は、前記取得部で前記送信結果取得指示が取得された場合、前記送信失敗通知を前記第３通信部を介して前記携帯端末装置に送信する制御を行ってもよい。これによれば、第４通信部を介した送信失敗通知の送信が失敗したとしても、第３通信部を介して送信結果取得指示が取得された場合、第３通信部から送信失敗通知を送信することができる。例えば、一旦、通信装置から離れた携帯端末装置の利用者が、送信結果が気になり通信装置の所に戻ってくることもある。送信結果取得指示の取得により、第３通信部から送信失敗通知を送信し、携帯端末装置にファクシミリ送信の失敗を通知することができる。
【００１２】
前記取得部は、前記相手先情報を前記第３通信部を介して取得し、前記送信データを前記第４通信部を介して取得し、前記再送指示を前記第３通信部又は前記第４通信部を介して取得してもよい。これによれば、携帯端末装置と通信装置の間で、相手先情報の送受信を第１無線通信によって実行し、送信データの送受信を、通信範囲の広い第２無線通信によって実行することができる。例えば、データ量の大小に応じた好適な無線通信の方式により携帯端末装置と通信することも可能となる。
【００１３】
前記記憶制御部は、前記送信制御部によるファクシミリ送信が成功した場合、前記送信データ記憶部から前記送信データを削除してもよい。これによれば、成功したファクシミリ送信の送信データが他人に取得又は利用されることを防止することができる。
【発明の効果】
【００１４】
本発明によれば、ファクシミリ送信が失敗した場合にその再送信をスムーズに行える好適なセキュリティが確保された通信装置を得ることができる。
【図面の簡単な説明】
【００１５】
【図１】通信装置と携帯端末装置と相手先装置を含む通信システムの一例を示す図である。
【図２】送信履歴用メモリの一例を示す図である。（Ａ）〜（Ｄ）は、送信履歴用メモリへの各情報の書き込みの各状態を示す。
【図３】（Ａ）は、通信管理用メモリの一例を示す図である。（Ｂ）は、送信データ用メモリの一例を示す図である。
【図４】通信装置処理の第１部分を示すフローチャートである。
【図５】通信装置処理の第２部分を示すフローチャートである。
【図６】通信装置処理の第３部分を示すフローチャートである。
【図７】再送指示確認処理のフローチャートである。
【図８】通信装置で表示される画面を示す図である。（Ａ）は、通信エラー画面を示す。（Ｂ）は、エラーアイコン画面を示す。
【図９】携帯端末処理の第１部分を示すフローチャートである。
【図１０】携帯端末処理の第２部分を示すフローチャートである。
【図１１】携帯端末処理の第３部分を示すフローチャートである。
【図１２】携帯端末装置で表示される画面を示す図である。（Ａ）は、「再送」ボタンが押下できない状態の送信操作画面を示す。（Ｂ）は、「再送」ボタンが押下できる状態の送信操作画面を示す。（Ｃ）は、通信エラー画面を示す。
【発明を実施するための形態】
【００１６】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１７】
＜通信システム＞
通信システム１０の概略について、図１を参照して説明する。通信システム１０は、通信装置２０と、携帯端末装置５０と、相手先装置８０を含む。通信装置２０は、例えば、ファクシミリ機能と、スキャン機能と、コピー機能を備えた複合機である。通信装置２０は、公衆回線１２に接続される。公衆回線１２は、所定の通信事業者によって構築された、光回線及び／又はＰＳＴＮ（Public Switched Telephone Networks）である。また、公衆回線１２は、携帯電話機のための回線（例えば、３Ｇ回線及び／又はＬＴＥ（Long Term Evolution））を含む。本実施形態における公衆回線１２は、特定の通信回線を意味するものではなく、各通信事業者と契約した利用者によって利用される各種の通信回線を総称するものである。通信装置２０は、公共の場所に設置され、不特定多数の者に利用される場合もある。
【００１８】
携帯端末装置５０は、スマートフォンである。スマートフォンは、コンピュータ機能を有する携帯電話機である。携帯端末装置５０は、公衆回線１２を介した通信の他、所定の無線通信によって通信装置２０と通信することができる。所定の無線通信の第１方式は、例えば、近距離無線通信（Near Field Communication  以下、「ＮＦＣ」という）である。所定の無線通信の第２方式は、例えば、無線ＬＡＮ通信又はＢｌｕｅｔｏｏｔｈ（登録商標）である。第２方式の無線通信は、第１方式の無線通信より通信範囲が広い無線通信である。本実施形態では、通信装置２０と携帯端末装置５０の間で利用される無線通信として、ＮＦＣ（第１方式）と、無線ＬＡＮ通信（第２方式）を例に説明する。
【００１９】
相手先装置８０は、ファクシミリ機能を備える公知の通信装置、又は、通信装置２０と同じ通信装置である。相手先装置８０は、公衆回線１２に接続され、通信装置２０の通信相手となる。図１では、１台の相手先装置８０が図示されているが、公衆回線１２には、複数の相手先装置８０が接続されている。相手先装置８０に関するこの他の説明は省略する。
【００２０】
＜通信装置＞
通信装置２０について、図１〜図３を参照して説明する。通信装置２０は、ＣＰＵ２２と、ＲＯＭ２４と、ＲＡＭ２６と、印刷部２８と、読取部３０と、表示部３２と、操作部３４と、回線通信部３６と、近距離通信部３８と、無線ＬＡＮ通信部４０と、計時部４２を備える。これら各部２２〜４２は、バス４４に接続される。
【００２１】
ＣＰＵ２２は、演算処理を実行する。ＲＯＭ２４は、フラッシュメモリによって構成される。ＲＯＭ２４は、通信装置２０で実行される各種処理のためのコンピュータプログラムを記憶する記憶領域を含む。ＲＯＭ２４に記憶されたコンピュータプログラムには、例えば、後述する通信装置処理（図４〜図６参照）のためのコンピュータプログラムと、再送指示確認処理（図７参照）のためのコンピュータプログラムが含まれる。ＲＯＭ２４は、送信履歴用メモリのための記憶領域と、通信管理用メモリのための記憶領域を含む。
【００２２】
送信履歴用メモリには、図２に示すように、通信番号（通信Ｎｏ．）と、端末ＩＤと、相手先情報と、送信データ保存場所と、通信結果が対応付けて記憶される。通信番号は、送信履歴用メモリの各レコードを識別するための識別番号（通し番号）である。端末ＩＤは、携帯端末装置５０を識別するための識別情報である。携帯端末装置５０は、自装置固有の端末ＩＤを有する。相手先情報は、相手先装置８０のＦＡＸ番号である。送信データ保存場所は、送信データの保存場所を表す情報（番地）である。送信データは、相手先装置８０にファクシミリ送信されるファクシミリデータである。通信装置２０は、携帯端末装置５０から送信データを取得する。この点については、後述する。送信結果は、送信データのファクシミリ送信の成功（ＯＫ）又は失敗（ＮＧ）を表す情報である。送信履歴用メモリに対応付けて記憶された各情報は、ファクシミリ送信が失敗した場合の再送信に利用される。
【００２３】
通信管理用メモリには、図３（Ａ）に示すように、通信番号（通信Ｎｏ．）と、端末ＩＤと、相手先情報と、通信結果が対応付けて記憶される。通信番号は、通信管理用メモリの各レコードを識別するための識別番号（通し番号）である。その他の各情報は、上述した通りである。通信管理用メモリに記憶された各情報は、例えば、通信装置２０の管理者が通信装置２０の利用状況等を管理するために用いられる。通信装置２０の一般的な利用者は、通信管理用メモリに記憶された各情報を利用することができない。
【００２４】
ＲＡＭ２６は、ＣＰＵ２２が各種のコンピュータプログラムを実行する際に利用される記憶領域となる。ＲＡＭ２６には、各種の処理の実行途中に、処理で利用される所定のデータ（情報）が記憶される。例えば、送信データを記憶するための記憶領域として送信データ用メモリがＲＡＭ２６に確保される。送信データは、送信データ用メモリ内の所定の番地に保存され記憶される（図３（Ｂ）参照）。図３（Ｂ）は、送信データ用メモリ内の「番地１」に「通信Ｎｏ．１用データ」が記憶され、他の番地（空白とされている「番地欄」参照）には送信データが記憶されておらず、空き領域となっている状態を示す。ＣＰＵ２２は、ＲＯＭ２４に記憶された各種のコンピュータプログラムを実行する等して、通信装置２０を制御する。これによって、通信装置２０では、各種の処理が実行され、各種の機能が実現される。
【００２５】
印刷部２８は、通信装置２０で受信されたファクシミリデータに対応する画像を、記録用紙に印刷する。読取部３０は、原稿を読み取る。表示部３２は、諸情報を表示する。表示部３２は、例えば、液晶ディスプレイにより構成される。操作部３４は、通信装置２０に所定の情報又は指示等を入力する際に操作される。操作部３４は、複数のキーを含む。操作部３４に含まれるキーとしては、テンキーが例示される。操作部３４にタッチパッドを設け、タッチパッドと表示部３２を組み合わせてタッチパネル機能を実現するようにしてもよい。この場合、操作部３４の一部は、タッチパネル機能を利用した構成となる。例えば、タッチパネル機能による操作部３４によって、ファクシミリ機能とスキャン機能とコピー機能の利用を選択することができる（図８（Ｂ）で、表示部３２に表示された「ＣＯＰＹ」、「ＦＡＸ」及び「ＳＣＡＮ」の各ボタン参照）。回線通信部３６は、公衆回線１２に接続され、公衆回線１２を介した通信を実行する。
【００２６】
近距離通信部３８は、ＮＦＣを実行する。無線ＬＡＮ通信部４０は、無線ＬＡＮ通信を実行する。ＮＦＣと無線ＬＡＮ通信を切り替えながら通信装置２０と携帯端末装置５０が無線通信する通信技術は、Ｗｉ−Ｆｉハンドオーバーと称される。第２方式の無線通信として、Ｂｌｕｅｔｏｏｔｈが用いられる場合、ＮＦＣとＢｌｕｅｔｏｏｔｈを切り替えながら通信装置２０と携帯端末装置５０が無線通信する通信技術は、Ｂｌｕｅｔｏｏｔｈハンドオーバーと称される。計時部４２は、時間経過を計測する。
【００２７】
＜携帯端末装置＞
携帯端末装置５０について、図１を参照して説明する。携帯端末装置５０は、ＣＰＵ５２と、ＲＯＭ５４と、ＲＡＭ５６と、表示部５８と、操作部６０と、カメラ部６２と、近距離通信部６４と、無線ＬＡＮ通信部６６と、回線通信部６８と、計時部７０を備える。これら各部５２〜７０は、バス７２に接続される。
【００２８】
ＣＰＵ５２は、演算処理を実行する。ＲＯＭ５４は、フラッシュメモリによって構成される。ＲＯＭ５４は、携帯端末装置５０で実行される各種処理のためのコンピュータプログラムを記憶する記憶領域を含む。ＲＯＭ５４に記憶されたコンピュータプログラムには、後述する携帯端末処理（図９〜図１１参照）のためのコンピュータプログラムが含まれる。携帯端末処理のためのコンピュータプログラムは、例えば、インターネット上の所定のサーバからダウンロードされる等して、ＲＯＭ５４にインストールされる。ＲＯＭ５４は、各種のデータを記憶する記憶領域を含む。各種のデータには、携帯端末装置５０の端末ＩＤと、相手先装置８０の相手先情報と、送信データが含まれる。送信データとしては、文書データ及び写真データが例示される。文書データは、所定のアプリケーションプログラムによって作成等される。携帯端末装置５０とは異なる情報処理装置で作成された文書データが、ＲＯＭ５４に記憶される場合もある。
【００２９】
ＲＡＭ５６は、ＣＰＵ５２が各種のコンピュータプログラムを実行する際に利用される記憶領域となる。ＲＡＭ５６には、各種の処理の実行途中に、処理で利用される所定のデータ（情報）が記憶される。ＣＰＵ５２は、ＲＯＭ５４に記憶された各種のコンピュータプログラムを実行する等して、携帯端末装置５０を制御する。これによって、携帯端末装置５０では、各種の処理が実行され、各種の機能が実現される。
【００３０】
表示部５８は、諸情報を表示する。表示部５８は、例えば、液晶ディスプレイにより構成される。操作部６０は、携帯端末装置５０に所定の情報又は指示等を入力する際に操作される。操作部６０は、所定のキーと、タッチパッドを含む。操作部６０の一部は、タッチパッドと表示部５８を組み合わせたタッチパネル機能により構成される。カメラ部６２は、外界像を撮像する。撮像された外界像に対応した写真データは、例えば、ＲＯＭ５４に記憶される。近距離通信部６４は、ＮＦＣを実行する。無線ＬＡＮ通信部６６は、無線ＬＡＮ通信を実行する。通信装置２０と携帯端末装置５０の間のＮＦＣは、近距離通信部３８及び近距離通信部６４を介して行われる。通信装置２０と携帯端末装置５０の間の無線ＬＡＮ通信は、無線ＬＡＮ通信部４０及び無線ＬＡＮ通信部６６を介して行われる。回線通信部６８は、公衆回線１２を介した通信を実行する。計時部７０は、時間経過を計測する。
【００３１】
＜通信装置処理＞
通信装置２０で実行される通信装置処理について、図４〜図６を参照して説明する。通信装置処理は、例えば、通信装置２０の電源がオンされた場合に開始される。通信装置処理を開始したＣＰＵ２２は、ＮＦＣの接続要求を取得したか否かを判断する（Ｓ１００）。接続要求は、通信装置２０と携帯端末装置５０の間のＮＦＣの確立に際し（図９のＳ３００参照）、携帯端末装置５０から送信され、近距離通信部３８で受信される。ＣＰＵ２２は、近距離通信部３８を介して接続要求を取得する。接続要求を取得していない場合（Ｓ１００：Ｎｏ）、ＣＰＵ２２は、接続要求が取得されるまで、Ｓ１００を繰り返して実行する。接続要求を取得した場合（Ｓ１００：Ｙｅｓ）、ＣＰＵ２２は、ＮＦＣにおけるペアリングを実行し、要求元の携帯端末装置５０との間でＮＦＣを確立する。
【００３２】
ＣＰＵ２２は、携帯端末装置５０の端末ＩＤと、ファクシミリ送信の宛先となる相手先装置８０の相手先情報を取得する（Ｓ１０２）。端末ＩＤと相手先情報は、携帯端末装置５０からＮＦＣによって送信され（図９のＳ３０２参照）、近距離通信部３８で受信される。ＣＰＵ２２は、近距離通信部３８を介して端末ＩＤと相手先情報を取得する。ＣＰＵ２２は、取得された端末ＩＤと相手先情報を対応付けて送信履歴用メモリに書き込む（Ｓ１０４）。送信履歴用メモリには、取得された端末ＩＤと相手先情報が所定の通信番号（例えば、書き込みのタイミングにおいて最小の番号）に対応付けて記憶される。具体的に、送信履歴用メモリに何れの情報も記憶されておらず、Ｓ１０２で取得された端末ＩＤが「ＩＤ１」で、相手先情報が「０５２−１１１−２２２２」であった場合、ＣＰＵ２２は、通信番号「１」に対応付けて「ＩＤ１」と「０５２−１１１−２２２２」を送信履歴用メモリに書き込む（図２（Ａ）参照）。
【００３３】
次に、ＣＰＵ２２は、送信データを取得する（Ｓ１０６）。送信データは、ＮＦＣが確立された携帯端末装置５０から無線ＬＡＮ通信によって送信され（図９のＳ３０６参照）、無線ＬＡＮ通信部４０で受信される。ＮＦＣから無線ＬＡＮ通信へとする無線通信の方式の変更は、上述したＷｉ−Ｆｉハンドオーバーに従い行われる。ＣＰＵ２２は、無線ＬＡＮ通信部４０を介して送信データを取得する。ＣＰＵ２２は、取得された送信データを送信データ用メモリに保存する（Ｓ１０８）。これによって、送信データが送信データ用メモリの所定の番地に記憶される。ＣＰＵ２２は、Ｓ１０４での書き込みに対応した通信番号（以下、「処理対象の通信番号」という）に対応付けて送信データの保存場所を表す番地を送信履歴用メモリに書き込む。これによって、送信履歴用メモリは、通信番号と、端末ＩＤと、相手先情報と、送信データ保存場所が対応付けて記憶された状態となる。例えば、処理対象の通信番号が「１」（図２（Ａ）参照）で、Ｓ１０６で取得された送信データが「通信Ｎｏ．１用データ」であったとする。ＣＰＵ２２は、Ｓ１０８で、「通信Ｎｏ．１用データ」を送信データ用メモリの「番地１」に保存する（図３（Ｂ）参照）。そして、ＣＰＵ２２は、処理対象の通信番号「１」に対応付けて送信データ保存場所「番地１」を送信履歴用メモリに書き込む（図２（Ｂ）参照）。
【００３４】
ＣＰＵ２２は、Ｓ１０２で取得されＳ１０４で記憶された相手先情報と、Ｓ１０８で送信データ用メモリに記憶された送信データを対象としたファクシミリ送信の制御を開始する（Ｓ１１０）。この制御によって、回線通信部３６から相手先情報に対応した相手先装置８０への送信データのファクシミリ送信が開始される。送信データは、ファクシミリ送信のための通信規格に従った形式に符号化される。ＣＰＵ２２は、Ｓ１１０で開始されたファクシミリ送信が成功したか否かを判断する（Ｓ１１２）。通信装置２０がリダイヤル機能を備えているとする。リダイヤル機能は、相手先装置８０が通信装置２０とは別の通信装置と通信中であった場合等に対応した機能であり、所定間隔で所定回数、相手先装置８０へのファクシミリ送信を繰り返して実行する機能である。リダイヤル機能は、ファクシミリ機能を備える公知の通信装置も備える機能であるため、これに関するこの他の説明は省略する。リダイヤル機能を備える通信装置２０では、何れかのタイミングで、送信データを相手先装置８０にファクシミリ送信できた場合、ファクシミリ送信は成功したと判断（Ｓ１１２：Ｙｅｓ）される。一方、所定回数繰り返しても、送信データを相手先装置８０にファクシミリ送信できない場合、ファクシミリ送信は失敗したと判断（Ｓ１１２：Ｎｏ）される。
【００３５】
ファクシミリ送信が成功した場合（Ｓ１１２：Ｙｅｓ）、ＣＰＵ２２は、処理対象の通信番号に対応付けて送信結果「ＯＫ」を送信履歴用メモリに書き込む（Ｓ１１４）。これによって、送信履歴用メモリは、通信番号と、端末ＩＤと、相手先情報と、送信データ保存場所と、送信結果が対応付けて記憶された状態となる（図２（Ｃ）参照）。続けて、ＣＰＵ２２は、無線ＬＡＮ通信部４０から携帯端末装置５０に送信成功通知を送信する制御を行う（Ｓ１１６）。この制御によって、送信成功通知が無線ＬＡＮ通信を介して無線ＬＡＮ通信部４０から携帯端末装置５０に送信される。送信成功通知は、携帯端末装置５０からの要求に基づいた送信データのファクシミリ送信が成功したことを示す通知である。
【００３６】
Ｓ１１６を実行した後、ＣＰＵ２２は、処理対象の通信番号に対応付けて送信履歴用メモリに記憶された、端末ＩＤと相手先情報と送信結果を通信管理用メモリに書き込む（Ｓ１１８）。例えば、通信管理用メモリに何れの情報も記憶されておらず、送信履歴用メモリが図２（Ｃ）の状態であった場合、ＣＰＵ２２は、通信番号「１」に対応付けて「ＩＤ１」と「０５２−１１１−２２２２」と「ＯＫ」を通信管理用メモリに書き込む（図３（Ａ）参照）。通信管理用メモリに１以上のレコードが記憶されていた場合、通信番号は、最終レコードの通信番号の次の番号（例えば、通信管理用メモリが図３（Ａ）の状態であった場合、通信番号「１」の次の「２」）とされる。
【００３７】
次に、ＣＰＵ２２は、送信履歴用メモリで処理対象の通信番号に対応付けられた送信データ用保存場所に従い、この保存場所に記憶された送信データを送信データ用メモリから削除する（Ｓ１２０）。続けて、ＣＰＵ２２は、処理対象の通信番号に対応付けられた各情報を送信履歴用メモリから削除する（Ｓ１２２）。Ｓ１２２でＣＰＵ２２は、処理対象の通信番号についても送信履歴用メモリから削除する。送信履歴用メモリに記憶されたレコードが１つである場合（図２（Ｃ）及び（Ｄ）参照）、送信履歴用メモリは、何れの情報も記憶されていない状態（未登録状態）となる。Ｓ１２２を実行した後、ＣＰＵ２２は、通信装置処理を終了する。
【００３８】
説明をＳ１１２に戻し、ファクシミリ送信が失敗した場合（Ｓ１１２：Ｎｏ）、ＣＰＵ２２は、処理を図５のＳ１２４に移行し、再送フラグが「ＯＮ」であるか否かを判断する。再送フラグは、送信履歴用メモリに記憶された処理対象の通信番号に対応付けられた各情報に従ったファクシミリ送信を繰り返して実行するか否かを示す情報であり、初期値は、「ＯＦＦ」である。再送フラグ「ＯＮ」は再実行を示し、再送フラグ「ＯＦＦ」は不実行を示す。再送フラグは、後述するＳ１３２で実行される再送指示確認処理（図７参照）で設定される。再送フラグが「ＯＮ」である場合（Ｓ１２４：Ｙｅｓ）、ＣＰＵ２２は、処理をＳ１２８に移行する。再送フラグが「ＯＦＦ」である場合（Ｓ１２４：Ｎｏ）、ＣＰＵ２２は、処理対象の通信番号に対応付けて送信結果「ＮＧ」を送信履歴用メモリに書き込む（Ｓ１２６）。これによって、送信履歴用メモリは、通信番号と、端末ＩＤと、相手先情報と、送信データ保存場所と、送信結果が対応付けて記憶された状態となる（図２（Ｄ）参照）。Ｓ１２６を実行した後、ＣＰＵ２２は、処理をＳ１２８に移行する。
【００３９】
Ｓ１２８でＣＰＵ２２は、表示部３２に通信エラー画面を表示する制御を行う。この制御によって、表示部３２には、図８（Ａ）に示すような通信エラー画面が表示される。操作対象の利用者がＳ１２８のタイミングで通信装置２０の近くに存在していた場合、その利用者に、送信失敗を通知することができる。操作対象の利用者は、携帯端末装置５０を通信装置２０（近距離通信部３８）にかざすといった、Ｓ１００が肯定（Ｓ１００：Ｙｅｓ）される要因となった操作を行った利用者である。ＣＰＵ２２は、再送指示カウンタにタイムアウト時間ＴＸを設定する（Ｓ１３０）。そして、ＣＰＵ２２は、タイムアウト時間ＴＸの計測を開始する。タイムアウト時間ＴＸは、諸条件を考慮し、適宜設定される。
【００４０】
Ｓ１３０を実行し、タイムアウト時間ＴＸの計測を開始したＣＰＵ２２は、再送指示確認処理を実行する（Ｓ１３２）。再送指示確認処理については、後述する。再送指示確認処理を実行した後、ＣＰＵ２２は、Ｓ１３２の再送指示確認処理にて設定された再送フラグが「ＯＮ」であるか否かを判断する（Ｓ１３４）。再送フラグが「ＯＮ」である場合（Ｓ１３４：Ｙｅｓ）、ＣＰＵ２２は、処理を図４のＳ１１０に移行し、Ｓ１１０以降の処理を実行する。この場合、Ｓ１１０では、送信履歴用メモリで処理対象の通信番号に対応付けられた相手先情報（図２（Ｄ）に基づけば「０５２−１１１−２２２２」参照）に従い、同じく処理対象の通信番号に対応付けられた送信データ保存場所（図２（Ｄ）に基づけば「番地１」参照）に記憶された送信データ（図３（Ｂ）に基づけば「通信Ｎｏ．１用データ」参照）のファクシミリ送信が開始される。即ち、今回のＳ１１０では、前回のＳ１１０で失敗したファクシミリ送信が再送信される。
【００４１】
再送フラグが「ＯＦＦ」である場合（Ｓ１３４：Ｎｏ）、ＣＰＵ２２は、無線ＬＡＮ通信部４０から携帯端末装置５０に送信失敗通知を送信する制御を行う（Ｓ１３６）。ＣＰＵ２２は、送信失敗通知が送信できたか否かを判断する（Ｓ１３８）。送信失敗通知は、携帯端末装置５０からの要求に基づいた送信データのファクシミリ送信が失敗したことを示す通知である。詳細は後述するが、携帯端末装置５０では、送信失敗通知に従い、表示部５８に通信エラー画面（図１２（Ｃ）参照）が表示される。Ｓ１３６の制御により、送信失敗通知が無線ＬＡＮ通信によって無線ＬＡＮ通信部４０から携帯端末装置５０に送信される。Ｓ１３８でＣＰＵ２２は、例えば、送信失敗通知を受信した携帯端末装置５０からの応答が無線ＬＡＮ通信部４０で受信された場合、Ｓ１３８を肯定する（Ｓ１３８：Ｙｅｓ）。一方、Ｓ１３８でＣＰＵ２２は、例えば、送信失敗通知が携帯端末装置５０で受信されず、携帯端末装置５０からの応答が無線ＬＡＮ通信部４０で受信されない場合、Ｓ１３８を否定する（Ｓ１３８：Ｎｏ）。
【００４２】
Ｓ１３８が肯定された場合（Ｓ１３８：Ｙｅｓ）、ＣＰＵ２２は、再送指示カウンタにタイムアウト時間ＴＹを設定する（Ｓ１４０）。そして、ＣＰＵ２２は、タイムアウト時間ＴＹの計測を開始する。タイムアウト時間ＴＹは、諸条件を考慮し、適宜設定される。例えば、タイムアウト時間ＴＹは、タイムアウト時間ＴＸより長い時間とされる。Ｓ１２８での通信エラー画面の表示後に設定されるタイムアウト時間ＴＸがタイムアップし（Ｓ１３２及び図７のＳ２００：Ｙｅｓ参照）、その後、Ｓ１３８が肯定される場合（Ｓ１３８：Ｙｅｓ）、操作対象の利用者は、通信装置２０の近傍ではない無線ＬＡＮ通信可能な範囲に存在していると推測される。詳細は後述するが、本実施形態では、再送指示がＮＦＣによって携帯端末装置５０と通信装置２０の間を送受信される（図７のＳ２０２：Ｙｅｓ及び図９のＳ３２４参照）。タイムアウト時間ＴＹは、利用者が通信装置２０の所に戻ってくるのに要する時間を考慮し、例えば、前述したようにタイムアウト時間ＴＸより長い時間に設定される。再送指示は、図４のＳ１１０で開始されたファクシミリ送信の再送信を指示するための指令である。
【００４３】
Ｓ１４０を実行し、タイムアウト時間ＴＹの計測を開始したＣＰＵ２２は、後述する再送指示確認処理を実行する（Ｓ１４２）。再送指示確認処理を実行した後、ＣＰＵ２２は、Ｓ１４２の再送指示確認処理にて設定された再送フラグが「ＯＮ」であるか否かを判断する（Ｓ１４４）。再送フラグが「ＯＮ」である場合（Ｓ１４４：Ｙｅｓ）、ＣＰＵ２２は、処理を図４のＳ１１０に戻し、Ｓ１１０以降の処理を実行する。この場合、Ｓ１１０では、上述したＳ１３４が肯定（Ｓ１３４：Ｙｅｓ）された場合と同様、前回のＳ１１０で失敗したファクシミリ送信が再送信される。この点に関する説明は、「Ｓ１３４：Ｙｅｓ」後のＳ１１０と同様であり省略する。再送フラグが「ＯＦＦ」である場合（Ｓ１４４：Ｙｅｓ）、ＣＰＵ２２は、処理を図４のＳ１１８に移行し、Ｓ１１８以降の処理を実行する。この場合、Ｓ１１８では、図２（Ｄ）に基づき、通信管理用メモリに書き込まれる送信結果は「ＮＧ」とされる。
【００４４】
Ｓ１３８が否定された場合（Ｓ１３８：Ｎｏ）、ＣＰＵ２２は、処理を図６のＳ１４６に移行し、Ｓ１３８が否定されたタイミングから一定時間が経過しているか否かを判断する。Ｓ１４６における一定時間は、無線ＬＡＮ通信が行えない位置まで移動していた操作対象の利用者がファクシミリ送信の結果を確認するために通信装置２０の所に戻ってくるのに要する時間等の諸条件を考慮し、適宜設定される。一定時間が経過している場合（Ｓ１４６：Ｙｅｓ）、ＣＰＵ２２は、処理を図４のＳ１１８に移行し、Ｓ１１８以降の処理を実行する。この場合、Ｓ１１８では、図２（Ｄ）に基づき、通信管理用メモリに書き込まれる送信結果は「ＮＧ」とされる。
【００４５】
一定時間が経過していない場合（Ｓ１４６：Ｎｏ）、ＣＰＵ２２は、送信結果取得指示を取得したか否かを判断する（Ｓ１４８）。送信結果取得指示は、ファクシミリ送信の送信結果を通信装置２０に要求するための指令である。送信結果取得指示は、携帯端末装置５０の表示部５８に、図１２（Ｂ）に示すような送信操作画面が表示されている状態で、操作対象の利用者がタッチパネル機能を利用した操作部６０の「通信管理情報取得」ボタンを押下し、携帯端末装置５０を通信装置２０にかざした場合に、携帯端末装置５０から送信され（図１１のＳ３３０参照）、近距離通信部３８で受信される。ＣＰＵ２２は、近距離通信部３８を介して送信結果取得指示を取得する。操作対象の利用者は、例えば、無線ＬＡＮ通信が行えない位置まで移動していたが、送信結果が気になり、通信装置２０の所に戻ってきたような場合に「通信管理情報取得」ボタンを押下する。
【００４６】
送信結果取得指示を取得していない場合（Ｓ１４８：Ｎｏ）、ＣＰＵ２２は、処理をＳ１４６に戻し、Ｓ１４６を実行する。送信結果取得指示を取得した場合（Ｓ１４８：Ｙｅｓ）、ＣＰＵ２２は、近距離通信部３８から携帯端末装置５０に送信失敗通知を送信する制御を行う（Ｓ１５０）。この制御により、送信失敗通知がＮＦＣにて近距離通信部３８から携帯端末装置５０に送信される。続けて、ＣＰＵ２２は、再送指示カウンタにタイムアウト時間ＴＺを設定する（Ｓ１５２）。そして、ＣＰＵ２２は、タイムアウト時間ＴＺの計測を開始する。タイムアウト時間ＴＺは、諸条件を考慮し、適宜設定される。
【００４７】
Ｓ１５２を実行し、タイムアウト時間ＴＺの計測を開始したＣＰＵ２２は、後述する再送指示確認処理を実行する（Ｓ１５４）。再送指示確認処理を実行した後、ＣＰＵ２２は、Ｓ１５４の再送指示確認処理にて設定された再送フラグが「ＯＮ」であるか否かを判断する（Ｓ１５６）。再送フラグが「ＯＮ」である場合（Ｓ１５６：Ｙｅｓ）、ＣＰＵ２２は、処理を図４のＳ１１０に移行し、Ｓ１１０以降の処理を実行する。この場合、Ｓ１１０では、上述したＳ１３４が肯定（Ｓ１３４：Ｙｅｓ）された場合と同様、前回のＳ１１０で失敗したファクシミリ送信が再送信される。この点に関する説明は、「Ｓ１３４：Ｙｅｓ」後のＳ１１０と同様であり省略する。再送フラグが「ＯＦＦ」である場合（Ｓ１５６：Ｎｏ）、ＣＰＵ２２は、処理を図４のＳ１１８に移行し、Ｓ１１８以降の処理を実行する。この場合、Ｓ１１８では、図２（Ｄ）に基づき、通信管理用メモリに書き込まれる送信結果は「ＮＧ」とされる。
【００４８】
＜再送指示確認処理＞
図４〜図６に示す通信装置処理のＳ１３２及びＳ１４２（図５参照）とＳ１５４（図６参照）でそれぞれ実行される再送指示確認処理について、図７を参照して説明する。再送指示確認処理を開始したＣＰＵ２２は、再送指示カウンタに設定されたタイムアウト時間ＴＸ，ＴＹ，ＴＺがタイムアップしているか否かを判断する（Ｓ２００）。再送指示確認処理が、図５のＳ１３２で実行されていた場合、再送指示カウンタにはタイムアウト時間ＴＸが設定され（図５のＳ１３０参照）、図５のＳ１４２で実行されていた場合、再送指示カウンタにはタイムアウト時間ＴＹが設定され（図５のＳ１４０参照）、図６のＳ１５４で実行されていた場合、再送指示カウンタにはタイムアウト時間ＴＺが設定されている（図５のＳ１５２参照）。
【００４９】
再送指示カウンタがタイムアップしていない場合（Ｓ２００：Ｎｏ）、ＣＰＵ２２は、再送指示を取得したか否かを判断する（Ｓ２０２）。図５のＳ１３２での再送指示確認処理では、再送指示は、図９のＳ３１４で携帯端末装置５０からＮＦＣによって送信される。図５のＳ１４２での再送指示確認処理では、再送指示は、図１０のＳ３２４で携帯端末装置５０からＮＦＣによって送信される。図６のＳ１５４での再送指示確認処理では、再送指示は、図１１のＳ３４０で携帯端末装置５０からＮＦＣによって送信される。通信装置２０では、携帯端末装置５０からそれぞれ送信される再送指示が近距離通信部３８で受信される。ＣＰＵ２２は、近距離通信部３８を介して再送指示を取得する。図５のＳ１４２での再送指示確認処理では、再送指示は、無線ＬＡＮ通信によって送受信されるようにしてもよい。この場合、操作対象の利用者は、携帯端末装置５０を通信装置２０にかざす必要がなく、「再送」ボタンが押下されたタイミングで、再送指示は、携帯端末装置５０から送信され、無線ＬＡＮ通信部４０で受信される。ＣＰＵ２２は、無線ＬＡＮ通信部４０を介して再送指示を取得する。
【００５０】
再送指示を取得していない場合（Ｓ２０２：Ｎｏ）、ＣＰＵ２２は、処理をＳ２００に戻し、Ｓ２００を実行する。再送指示を取得した場合（Ｓ２０２：Ｙｅｓ）、ＣＰＵ２２は、再送フラグに「ＯＮ」を設定する（Ｓ２０４）。その後、ＣＰＵ２２は、再送指示確認処理を終了し、処理を通信装置処理に戻す。具体的に、再送指示確認処理が図５のＳ１３２で実行されていた場合、ＣＰＵ２２は、処理を図５のＳ１３４に戻す。再送指示確認処理が図５のＳ１４２で実行されていた場合、ＣＰＵ２２は、処理を図５のＳ１４４に戻す。再送指示確認処理が図６のＳ１５４で実行されていた場合、ＣＰＵ２２は、処理を図６のＳ１５６に戻す。
【００５１】
再送指示カウンタがタイムアップしている場合（Ｓ２００：Ｙｅｓ）、ＣＰＵ２２は、表示部３２にエラーアイコン画面が表示されているか否かを判断する。エラーアイコン画面は、図８（Ｂ）に示すような、エラーアイコン３５を含む画面である。なお、図８（Ｂ）は、ファクシミリ機能とスキャン機能とコピー機能の利用を選択するための機能選択画面において、エラーアイコン３５を表示させたエラーアイコン画面を例示したものである。図５のＳ１３２での再送指示確認処理では、表示部３２に、図５のＳ１２８で表示された通信エラー画面（図８（Ａ）参照）が表示されている。そのため、Ｓ２０６は否定される（Ｓ２０６：Ｎｏ）。この場合、ＣＰＵ２２は、表示部３２にエラーアイコン画面を表示する制御を行う（Ｓ２０８）。この制御により、表示部３２に表示される画面は、通信エラー画面から、エラーアイコン３５を含む機能選択画面に遷移され、その結果、表示部３２には、図８（Ｂ）に示すようなエラーアイコン画面が表示される。操作対象の利用者は、表示部３２に表示されたエラーアイコン画面を確認することができる。Ｓ２０８を実行した後、ＣＰＵ２２は、処理をＳ２１０に移行する。
【００５２】
図５のＳ１４２又は図６のＳ１５４での再送指示確認処理では、上述した通り、図５のＳ１３２での再送指示確認処理のＳ２０８にてエラーアイコン画面が表示されている。そのため、Ｓ２０６は肯定される（Ｓ２０６：Ｙｅｓ）。この場合、ＣＰＵ２２は、Ｓ２０８を実行することなく、処理をＳ２１０に移行する。Ｓ２１０でＣＰＵ２２は、再送フラグに「ＯＦＦ」を設定する（Ｓ２１０）。その後、ＣＰＵ２２は、再送指示確認処理を終了し、処理を通信装置処理に戻す。具体的な戻り先は、Ｓ２０４の実行後と同じである。
【００５３】
＜携帯端末処理＞
携帯端末装置５０で実行される携帯端末処理について、図９〜図１１を参照して説明する。携帯端末処理は、携帯端末装置５０の利用者（操作対象の利用者）が操作部６０を操作し、携帯端末処理のためのコンピュータプログラムを起動させる実行指示を入力した場合に開始される。実行指示の入力に伴い、ＣＰＵ５２は、表示部５８に、タッチパネル機能を利用した操作部６０を含む送信操作画面を表示する制御を行う。この制御によって、表示部５８には、図１２（Ａ）に示すような送信操作画面（但し、「０５２−１１１−２２２２」を例とする相手先情報は非表示）が表示される。操作部６０の「再送」ボタンは、押下できない状態（図１２（Ａ）で「再送」の部分における網点は、この状態を示す）とされる。また、操作対象の利用者は、例えば、実行指示の入力後に、送信データの宛先となる相手先情報と、送信データを指定する操作を行う。相手先情報の入力に伴い、送信操作画面には、入力された相手先情報が表示される（図１２（Ａ）参照）。ＣＰＵ５２は、この操作に従い、相手先情報と送信データを特定する。その後、操作対象の利用者は、「送信」ボタンを押下する。操作対象の利用者は、「送信」ボタンの押下前又は押下後の所定のタイミングで、携帯端末装置５０を通信装置２０にかざす。
【００５４】
携帯端末処理を開始したＣＰＵ５２は、通信装置２０との間でＮＦＣが確立されたか否かを判断する（Ｓ３００）。ＮＦＣの確立において、近距離通信部６４から通信装置２０に、図４のＳ１００に関連して説明した接続要求が送信される。そして、ＣＰＵ５２は、ＮＦＣにおけるペアリングを実行し、通信装置２０との間でＮＦＣを確立する。携帯端末装置５０が通信装置２０にかざされていない等の理由でＮＦＣが確立されない場合（Ｓ３００：Ｎｏ）、ＣＰＵ５２は、Ｓ３００を繰り返して実行する。ＮＦＣが確立された場合（Ｓ３００：Ｙｅｓ）、ＣＰＵ５２は、近距離通信部６４から通信装置２０に自装置の端末ＩＤと相手先情報を送信する制御を行う（Ｓ３０２）。この制御により、端末ＩＤと相手先情報がＮＦＣによって近距離通信部６４から通信装置２０に送信される。ＣＰＵ５２は、ＮＦＣが確立された場合（Ｓ３００：Ｙｅｓ）等、所定のタイミングで、操作部６０の「再送」ボタンを押下可能な状態（図１２（Ｂ）参照）とする。
【００５５】
続けて、ＣＰＵ５２は、Ｗｉ−Ｆｉハンドオーバーに従い、通信装置２０との間で無線ＬＡＮ通信を確立するための処理を制御する。そして、ＣＰＵ５２は、通信装置２０との間で無線ＬＡＮ通信が確立されたか否かを判断する（Ｓ３０４）。例えば、無線ＬＡＮ通信を確立するための処理が実行途中で、無線ＬＡＮ通信が確立されていない場合（Ｓ３０４：Ｎｏ）、ＣＰＵ５２は、前述した処理を継続して制御する。無線ＬＡＮ通信が確立された場合（Ｓ３０４：Ｙｅｓ）、ＣＰＵ５２は、無線ＬＡＮ通信部６６から通信装置２０に、相手先情報と共に特定された送信データを送信する制御を行う（Ｓ３０６）。この制御により、送信データが無線ＬＡＮ通信によって無線ＬＡＮ通信部６６から通信装置２０に送信される。
【００５６】
Ｓ３０６を実行した後、ＣＰＵ５２は、送信成功通知を取得したか否かを判断する（Ｓ３０８）。送信成功通知は、図４のＳ１１６で、通信装置２０から無線ＬＡＮ通信によって送信され、無線ＬＡＮ通信部６６で受信される。ＣＰＵ５２は、無線ＬＡＮ通信部６６を介して送信成功通知を取得する。送信成功通知を取得した場合（Ｓ３０８：Ｙｅｓ）、ＣＰＵ５２は、表示部５８に通信成功画面（不図示）を表示する制御を行う（Ｓ３０９）。この制御によって、表示部５８には、例えば、「ファクシミリ送信は成功しました」との情報を含む通信成功画面が表示される。送信成功通知の送受信を無線ＬＡＮ通信によって行うことで、操作対象の利用者が移動し、通信装置２０の近くに存在していなくても、無線ＬＡＮ通信可能な範囲に存在していた場合、携帯端末装置５０の表示部５８に送信成功画面を表示することができる。その後、ＣＰＵ５２は、携帯端末処理を終了する。
【００５７】
送信成功通知を取得していない場合（Ｓ３０８：Ｎｏ）、ＣＰＵ５２は、操作対象の利用者がタッチパネル機能を利用した操作部６０の「再送」ボタンを押下したか否かを判断する（Ｓ３１０）。ＣＰＵ５２は、送信操作画面における操作部６０の「再送」ボタン（図１２（Ｂ）参照）の押下の有無に従い、Ｓ３１０を判断する。操作対象の利用者は、図５のＳ１２８で表示部３２に表示された通信エラー画面（図８（Ａ）参照）に応じて失敗したファクシミリ送信を再送信する場合、「再送」ボタンを押下する。
【００５８】
「再送」ボタンが押下された場合（Ｓ３１０：Ｙｅｓ）、ＣＰＵ５２は、通信装置２０との間でＮＦＣを確立するための処理を制御し、ＮＦＣが確立されたか否かを判断する（Ｓ３１２）。ＮＦＣが確立されない場合（Ｓ３１２：Ｎｏ）、ＣＰＵ５２は、処理をＳ３０８に戻し、Ｓ３０８以降の処理を実行する。ＮＦＣを確立させるためには、「再送」ボタンの押下前又は押下後の所定のタイミングで、携帯端末装置５０が通信装置２０にかざされなければならない。即ち、携帯端末装置５０と通信装置２０をＮＦＣ可能な距離に接近した状態とする必要がある。通信装置２０への携帯端末装置５０のかざし方が不適切であった場合、又は、携帯端末装置５０が通信装置２０にかざされなかった場合、ＮＦＣが確立されない（図１０のＳ３２２及び図１１のＳ３３８について同じ）。ＮＦＣが確立された場合（Ｓ３１２：Ｙｅｓ）、ＣＰＵ５２は、近距離通信部６４から通信装置２０に再送指示を送信する制御を行う（Ｓ３１４）。この制御により、再送指示がＮＦＣによって近距離通信部６４から通信装置２０に送信される。Ｓ３１４を実行した後、ＣＰＵ５２は、処理をＳ３０８に戻し、Ｓ３０８以降の処理を実行する。
【００５９】
「再送」ボタンが押下されていない場合（Ｓ３１０：Ｎｏ）、ＣＰＵ５２は、処理を図１０のＳ３１６に移行し、送信失敗通知を取得したか否かを判断する。送信失敗通知は、図５のＳ１３６で、通信装置２０から無線ＬＡＮ通信によって送信され、無線ＬＡＮ通信部６６で受信される。ＣＰＵ５２は、無線ＬＡＮ通信部６６を介して送信失敗通知を取得する。送信失敗通知を取得した場合（Ｓ３１６：Ｙｅｓ）、ＣＰＵ５２は、表示部５８に通信エラー画面を表示する制御を行う（Ｓ３１７）。この制御によって、表示部５８には、図１２（Ｃ）に示すような通信エラー画面が表示される。送信失敗通知によって、操作対象の利用者が通信装置２０の近くに存在していなくても、無線ＬＡＮ通信可能な範囲に存在していた場合、携帯端末装置５０の表示部５８に通信エラー画面を表示することができる。通信エラー画面における操作部６０では、「再送」ボタンを含む全てのボタンが押下可能な状態とされる（図１２（Ｃ）参照）。操作部６０では、「送信」ボタンは、押下できない状態とするようにしてもよい。
【００６０】
ＣＰＵ５２は、Ｓ３１６が肯定（Ｓ３１６：Ｙｅｓ）される要因となった送信失敗通知を取得したタイミングから一定時間が経過しているか否かを判断する（Ｓ３１８）。Ｓ３１８における一定時間は、諸条件を考慮し、適宜設定される。例えば、一定時間は、上述したタイムアウト時間ＴＹ（図５のＳ１４０参照）に対応した時間とされる。一定時間が経過している場合（Ｓ３１８：Ｙｅｓ）、ＣＰＵ５２は、携帯端末処理を終了する。一定時間が経過していない場合（Ｓ３１８：Ｎｏ）、ＣＰＵ５２は、操作対象の利用者がタッチパネル機能を利用した操作部６０の「再送」ボタンを押下したか否かを判断する（Ｓ３２０）。ＣＰＵ５２は、通信エラー画面における操作部６０の「再送」ボタン（図１２（Ｃ）参照）の押下の有無に従い、Ｓ３２０を判断する。
【００６１】
「再送」ボタンが押下されていない場合（Ｓ３２０：Ｎｏ）、ＣＰＵ５２は、処理をＳ３１８に戻し、Ｓ３１８を実行する。「再送」ボタンが押下された場合（Ｓ３２０：Ｙｅｓ）、ＣＰＵ５２は、通信装置２０との間でＮＦＣを確立するための処理を制御し、ＮＦＣが確立されたか否かを判断する（Ｓ３２２）。ＮＦＣが確立されない場合（Ｓ３２２：Ｎｏ）、ＣＰＵ５２は、処理をＳ３１８に戻し、Ｓ３１８以降の処理を実行する。ＮＦＣが確立された場合（Ｓ３２２：Ｙｅｓ）、ＣＰＵ５２は、近距離通信部６４から通信装置２０に再送指示を送信する制御を行う（Ｓ３２４）。この制御により、再送指示がＮＦＣによって近距離通信部６４から通信装置２０に送信される。なお、図５のＳ１４２での再送指示確認処理（図７参照）のＳ２０２に関連して上述した通り、Ｓ３２４での再送指示の送信は、既に通信可能な状態である無線ＬＡＮ通信にて行うようにしてもよい。この場合、Ｓ３２２は省略される。Ｓ３２４を実行した後、ＣＰＵ５２は、処理をＳ３０８に戻し、Ｓ３０８以降の処理を実行する。
【００６２】
説明をＳ３１６に戻し、送信失敗通知を取得していない場合（Ｓ３１６：Ｎｏ）、ＣＰＵ５２は、処理を図１１のＳ３２６に移行し、操作対象の利用者がタッチパネル機能を利用した操作部６０の「通信管理情報取得」ボタンを押下したか否かを判断する。送信失敗通知を取得していない場合（Ｓ３１６：Ｎｏ）、表示部５８の表示は、例えば、携帯端末処理の開始後と同様、図１２（Ｂ）の状態のままとされる。ＣＰＵ５２は、操作部６０の「通信管理情報取得」ボタンの押下の有無に従い、Ｓ３２６を判断する。操作対象の利用者が送信結果を確認するため通信装置２０の近くに戻ってきたような場合、操作対象の利用者は、例えば、エラーアイコン画面（図８（Ｂ）参照）が表示部３２に表示されているか否かに基づき、「通信管理情報取得」ボタンを押下するか否かを判断する。例えば、エラーアイコン画面が表示されている場合、操作対象の利用者は、「通信管理情報取得」ボタンを押下する。エラーアイコン画面は、図５のＳ１３２での再送指示確認処理（図７参照）のＳ２０８にて表示される。
【００６３】
「通信管理情報取得」ボタンが押下されていない場合（Ｓ３２６：Ｎｏ）、ＣＰＵ５２は、処理を図９のＳ３０８に戻し、Ｓ３０８以降の処理を実行する。「通信管理情報取得」ボタンが押下された場合（Ｓ３２６：Ｙｅｓ）、ＣＰＵ５２は、通信装置２０との間でＮＦＣを確立するための処理を制御し、ＮＦＣが確立されたか否かを判断する（Ｓ３２８）。ＮＦＣが確立されない場合（Ｓ３２８：Ｎｏ）、ＣＰＵ５２は、処理を図９のＳ３０８に戻し、Ｓ３０８以降の処理を実行する。ＮＦＣを確立させるためには、「通信管理情報取得」ボタンの押下前又は押下後の所定のタイミングで、携帯端末装置５０が通信装置２０にかざされなければならない。即ち、携帯端末装置５０と通信装置２０をＮＦＣ可能な距離に接近した状態とする必要がある。通信装置２０への携帯端末装置５０のかざし方が不適切であった場合、又は、携帯端末装置５０が通信装置２０にかざされなかった場合、ＮＦＣは確立されない。ＮＦＣが確立された場合（Ｓ３２８：Ｙｅｓ）、ＣＰＵ５２は、近距離通信部６４から通信装置２０に送信結果取得指示を送信する制御を行う（Ｓ３３０）。この制御により、送信結果取得指示がＮＦＣによって近距離通信部６４から通信装置２０に送信される。
【００６４】
続けて、ＣＰＵ５２は、送信失敗通知を取得する（Ｓ３３２）。送信失敗通知は、通信装置２０で、Ｓ３３０で送信された送信結果取得指示が通信装置２０で受信され取得された場合（図６のＳ１４８：Ｙｅｓ参照）に、通信装置２０から送信され（図６のＳ１５０参照）、近距離通信部６４で受信される。ＣＰＵ５２は、近距離通信部６４を介して送信失敗通知を取得する。ＣＰＵ５２は、送信失敗通知の取得に伴い、表示部５８に通信エラー画面を表示する制御を行う（Ｓ３３３）。この制御によって、表示部５８には、図１２（Ｃ）に示すような通信エラー画面が表示される。通信エラー画面における操作部６０では、「再送」ボタンを含む全てのボタンが押下可能な状態とされる。操作部６０では、「送信」ボタンは、押下できない状態とするようにしてもよい。
【００６５】
ＣＰＵ５２は、Ｓ３３２で送信失敗通知を取得したタイミングから一定時間が経過しているか否かを判断する（Ｓ３３４）。Ｓ３３４における一定時間は、諸条件を考慮し、適宜設定される。例えば、一定時間は、上述したタイムアウト時間ＴＺ（図６のＳ１５２参照）に対応した時間とされる。一定時間が経過している場合（Ｓ３３４：Ｙｅｓ）、ＣＰＵ５２は、携帯端末処理を終了する。一定時間が経過していない場合（Ｓ３３４：Ｎｏ）、ＣＰＵ５２は、操作対象の利用者がタッチパネル機能を利用した操作部６０の「再送」ボタンを押下したか否かを判断する（Ｓ３３６）。ＣＰＵ５２は、通信エラー画面における操作部６０の「再送」ボタン（図１２（Ｃ）参照）の押下の有無に従い、Ｓ３３６を判断する。
【００６６】
「再送」ボタンが押下されていない場合（Ｓ３３６：Ｎｏ）、ＣＰＵ５２は、処理をＳ３３４に戻し、Ｓ３３４を実行する。「再送」ボタンが押下された場合（Ｓ３３６：Ｙｅｓ）、ＣＰＵ５２は、通信装置２０との間でＮＦＣを確立するための処理を制御し、ＮＦＣが確立されたか否かを判断する（Ｓ３３８）。ＮＦＣが確立されない場合（Ｓ３３８：Ｎｏ）、ＣＰＵ５２は、処理をＳ３３４に戻し、Ｓ３３４以降の処理を実行する。ＮＦＣが確立された場合（Ｓ３３８：Ｙｅｓ）、ＣＰＵ５２は、近距離通信部６４から通信装置２０に再送指示を送信する制御を行う（Ｓ３４０）。この制御により、再送指示がＮＦＣによって近距離通信部６４から通信装置２０に送信される。Ｓ３４０を実行した後、ＣＰＵ５２は、処理を図９のＳ３０８に戻し、Ｓ３０８以降の処理を実行する。
【００６７】
＜本実施形態の効果＞
本実施形態によれば、次のような効果を得ることができる。
【００６８】
（１）通信装置２０では、携帯端末装置５０からの要求に基づき図４のＳ１１０で開始されたファクシミリ送信が失敗した場合（図４のＳ１１２：Ｎｏ参照）、携帯端末装置５０に送信失敗通知を送信する（図５のＳ１３６参照）こととした。そして、携帯端末装置５０から再送指示が取得された場合（図５のＳ１４２及び図７のＳ２０２：Ｙｅｓ参照）、送信履歴用メモリで処理対象の通信番号に対応付けて記憶された相手先情報に従い、送信データ用メモリに記憶された送信データを再度ファクシミリ送信する（図４のＳ１１０参照）こととした。ファクシミリ送信が成功した場合（図４のＳ１１２：Ｙｅｓ参照）、成功したファクシミリ送信のための通信番号（処理対象の通信番号）と、処理対象の通信番号に対応付けられた相手先情報を含む各情報を、送信履歴用メモリから削除する（図４のＳ１２２参照）こととした。
【００６９】
そのため、携帯端末装置５０にファクシミリ送信の失敗を通知することができる。携帯端末装置５０では、送信失敗通知に基づき通信エラー画面（図１２（Ｃ）参照）を表示部５８に表示する（図１０のＳ３１７参照）ことができる。操作対象の利用者は、通信エラー画面を確認し、ファクシミリ送信の失敗を知ることができる。再送信のための操作を携帯端末装置５０と連携してスムーズに行うことができる。失敗したファクシミリ送信の再送信に関し、好適な操作性が実現された通信装置２０とすることができる。ファクシミリ送信が成功した相手先情報を含む各情報が他人に取得又は利用されることを防止することができる。
【００７０】
再送指示カウンタに設定されたタイムアウト時間ＴＹ（図５のＳ１４０参照）又はタイムアウト時間ＴＺ（図６のＳ１５２参照）がタイムアップしている場合（図７のＳ２００：Ｙｅｓ参照）、又は、図５のＳ１３８が否定されたタイミングから一定時間が経過している場合（図６のＳ１４６：Ｙｅｓ参照）、処理対象の通信番号に対応付けられた相手先情報を含む各情報を、送信履歴用メモリから削除する（図４のＳ１２２参照）こととした。そのため、ファクシミリ送信が成功した場合と同様、相手先情報を含む各情報に対するセキュリティを確保することができる。処理対象の通信番号に対応付けられた相手先情報を含む各情報を送信履歴用メモリから削除するに際し、送信対象の通信番号に対応付けられた送信データ用保存場所に従い、この保存場所に記憶された送信データを送信データ用メモリから削除する（図４のＳ１２０参照）こととした。そのため、相手先情報を含む各情報と共に、送信データ用メモリに記憶された送信データについても、他人に取得又は利用されることを防止することができる。
【００７１】
（２）図４のＳ１１０で開始されたファクシミリ送信が成功した場合（図４のＳ１１２：Ｙｅｓ参照）、携帯端末装置５０に送信成功通知を送信する（図４のＳ１１６参照）こととした。そのため、携帯端末装置５０にファクシミリ送信の成功を通知することができる。携帯端末装置５０では、例えば、「ファクシミリ送信は成功しました」との情報を含む通信成功画面を表示部５８に表示する（図９のＳ３０９参照）ことができる。
【００７２】
（３）図４のＳ１１６での送信成功通知と、図５のＳ１３６での送信失敗通知は、無線ＬＡＮ通信部４０から無線ＬＡＮ通信によって携帯端末装置５０に送信されることとした。携帯端末装置５０の利用者は、ファクシミリ送信のための所定の操作を行った後、通信装置２０から離れた場所に移動することも想定される。このような場合であっても、通信範囲の広い無線ＬＡＮ通信を利用することで、送信成功通知又は送信失敗通知の送信が成功する可能性を高めることができる。図６でのＳ１５０での送信失敗通知は、近距離通信部３８からＮＦＣによって携帯端末装置５０に送信されることとした。Ｓ１５０は、近距離通信部３８を介して送信結果取得指示が取得された場合（図６のＳ１４８：Ｙｅｓ参照）に実行される。従って、通信装置２０と携帯端末装置５０はＮＦＣすることができる。通信可能なＮＦＣにより、送信失敗通知をスムーズに送信することができる。
【００７３】
＜変形例＞
本実施形態は、次のようにすることもできる。
【００７４】
（１）上記では、携帯端末装置５０がスマートフォンである場合を例に説明した。携帯端末装置５０は、上述した携帯端末処理（図９〜図１１参照）を実行できるコンピュータ機能を備えた携帯型の端末装置であればよい。例えば、携帯端末装置５０は、タブレット型のデバイスであってもよい。タブレット型のデバイスとしては、タブレット端末又はタブレットＰＣと称されるコンピュータ製品が例示される。タブレット型のデバイスは、上述した携帯端末装置５０が備える各部５２〜７０のうち、回線通信部６８を備えておらず、公衆回線１２を介した通話等には対応していない場合もある。
【００７５】
（２）上記では、通信装置２０と携帯端末装置５０の間の無線通信について、ＮＦＣと無線ＬＡＮ通信を例に説明した。両装置間の無線通信は、これらとは異なる方式の無線通信によって行われるようにしてもよい。両装置間で採用される無線通信は、２種類でなくてもよい。例えば、１種類の無線通信によって行われるようにしてもよい。採用する無線通信の方式及び／又は種類数は、データ量、通信範囲及び／又は操作性等の諸条件を考慮し、適宜決定するとよい。
【００７６】
通信装置処理（図４〜図６参照）、再送指示確認処理（図７参照）及び携帯端末処理（図９〜図１１参照）において、ＮＦＣによって実行することとした少なくとも一部の無線通信は、無線ＬＡＮ通信によって実行するようにしてもよい。同じく、無線ＬＡＮ通信によって実行することとした少なくとも一部の無線通信は、ＮＦＣによって実行するようにしてもよい。採用する無線通信の方式は、データ量、通信範囲及び／又は操作性等の諸条件を考慮し、適宜決定するとよい。
【符号の説明】
【００７７】
１０  通信システム
１２  公衆回線
２０  通信装置
２２  ＣＰＵ
２４  ＲＯＭ
２６  ＲＡＭ
２８  印刷部
３０  読取部
３２  表示部
３４  操作部
３５  エラーアイコン
３６  回線通信部
３８  近距離通信部
４０  無線ＬＡＮ通信部
４２  計時部
４４  バス
５０  携帯端末装置
５２  ＣＰＵ
５４  ＲＯＭ
５６  ＲＡＭ
５８  表示部
６０  操作部
６２  カメラ部
６４  近距離通信部
６６  無線ＬＡＮ通信部
６８  回線通信部
７０  計時部
７２  バス
８０  相手先装置
ＴＸ，ＴＹ，ＴＺ  タイムアウト時間
【図１】
2014187666.tif 000003
【図２】
2014187666.tif 000004
【図３】
2014187666.tif 000005
【図４】
2014187666.tif 000006
【図５】
2014187666.tif 000007
【図６】
2014187666.tif 000008
【図７】
2014187666.tif 000009
【図８】
2014187666.tif 000010
【図９】
2014187666.tif 000011
【図１０】
2014187666.tif 000012
【図１１】
2014187666.tif 000013
【図１２】
2014187666.tif 000014